【事件の表示】
　特願２０１０−５５０３１２「効率的なマルチバンド通信システム」拒絶査定不服審判事件〔平成２１年　９月１７日国際公開，ＷＯ２００９／１１３００７，平成２３年　５月１９日国内公表，特表２０１１−５１５９２７〕について，次のとおり審決する。
【結　論】
　本件審判の請求は，成り立たない。
【理　由】
１　手続の経緯・本願発明
　本願は，２００９年３月９日（パリ条約による優先権主張外国庁受理　２００８年３月１０日　米国，２００９年２月２７日　米国）を国際出願日とする出願であって，平成２６年３月１２日付けで拒絶査定がなされ，これに対し，同年７月１８日に拒絶査定に対する審判請求がなされるとともに同日付けで手続補正がなされたものである。 
　その請求項１に係る発明は，明細書，特許請求の範囲及び図面の記載からみて，平成２６年７月１８日付け手続補正書により補正された特許請求の範囲の請求項１に記載された次のとおりのものと認める（以下，「本願発明」という。）。 
　「　マルチバンド通信システムであって，
　複数の送信チャネルを有する送信機であって，各送信チャネルが複数のサブバンドうちそれぞれ異なる単一のサブバンドによりデータストリームを送信し，各送信チャネルに，それぞれ異なるチャネルコード及びシンボルコンステレーションがセットされ，各送信チャネルのデータストリームは，当該セットされているチャネルコード及びシンボルコンステレーションを使用して生成される，送信機と，
　前記送信機とワイヤレスに通信し，複数の受信チャネルを有する受信機であって，各受信チャネルが複数のサブバンドのうち単一のサブバンドのデータストリームを受信し，各受信チャネルで受信される各サブバンドのデータストリームは，それぞれ異なるチャネルコード及びシンボルコンステレーションを使用して復号される，受信機と，
を有し，前記受信機の個々の受信チャネルは，それぞれ，当該受信チャネル及びその対応する送信チャネルの間のリンクの条件に従って適切なチャネルコード及びシンボルコンステレーションを決定し，その対応する送信チャネルにフィードバックする適応変調コーディングコントローラを有する，システム。」
　なお，請求項１に係る発明は，平成２６年７月１８日付け手続補正書で補正されておらず，当該補正の前後で同一である。
　また，上記本願発明のうち，２段落目の「各送信チャネルが複数のサブバンドうち」は「各送信チャネルが複数のサブバンドのうち」の誤記と認められる。
２　引用発明及び周知事項
［引用発明］ 
　原査定の拒絶の理由に引用された国際公開第２００７／０１５９６２号（以下，「引用例」という。）には，図面とともに以下の事項が記載されている。（当審注：以下の［当審仮訳］は，引用例のパテントファミリーである特表２００９−５０４０１０号公報の記載に基づくものである。）
（１）「　This present disclosure relates generally to a system, apparatus and method for multiband wireless communication. Frequency bands and/or transmission formats are identified as available within a range for wireless communication. Signal quality metrics for each available frequency band are evaluated so that at least one of the identified frequency bands can be selected for communication based on the determined signal quality.」
（第１頁第９−１４行） 
（［当審仮訳］：
　本発明は，一般に，マルチバンド無線通信のためのシステム，装置，および方法に関する。周波数バンドおよび／または伝送形式は，無線通信のための周波数範囲の中で利用可能なように識別される。利用可能なそれぞれの周波数バンドに対する信号品質メトリックを評価し，評価した信号品質に基づいて，識別された周波数バンドのうちの少なくとも１つを通信のために選択することができる。）
（２）「　While point-to-point networks can provide high-speed interconnect links, they often do not easily scale into large scale networks. Point-to-point networks are useful, however, as wireless backhaul connections between base stations in a cellular communication network or as an access point in a WiFi network to bridge into a core network. Other applications of point-to-point networks include connections to ultra-wide band (UWB) devices, cordless telephones, Bluetooth devices or other devices that have similar radio transmission features.」
（第６頁第２５−３１行） 
（［当審仮訳］：
　ポイントツーポイントネットワークは，高速の相互接続リンクを提供することができるが，大規模ネットワークに容易にスケーリングができない場合がしばしばある。しかし，ポイントツーポイントネットワークは，セルラ通信ネットワークでの基地局間の無線バックホール接続として，またはコアネットワークの中にブリッジするためのＷｉＦｉネットワークにおけるアクセスポイントとして役に立つ。その他のポイントツーポイントネットワークの応用は，ＵＷＢ（ｕｌｔｒａ−ｗｉｄｅ  ｂａｎｄ）デバイス，コードレス電話機，ブルートゥースデバイス，または同様の無線伝送特性を持つその他のデバイスへの接続を含む。）
（３）「　Frequency-Band Adaptive Communications - Generally
　The present disclosure contemplates a system, apparatus and method for adaptively utilizing a combination of licensed, unlicensed, semilicensed, and overlapped frequency bands for communication. Example licensed frequency bands include cellular bands such as 800/900MHz bands, PCS bands such as 1800/1900MHz bands, and the 4.9GHz band for broadband public safety. Unlicensed frequency bands include the 900MHz band, the 2.4GHz band, the 5.0GHz band and the 5.8GHz band. Example semilicensed bands include the 3.65GHz band. Example overlapped bands include UWB bands such as 3.1GHz - 10.6GHz.」
（第７頁第２３−３１行） 
（［当審仮訳］：
［周波数バンド適応通信−一般論］
　本発明は，ＬＦＢ，ＵＦＢ，ＳＦＢ，およびＯＦＢの組み合わせを，通信のために適応的に利用するためのシステム，装置，および方法を意図している。ＬＦＢの例は，８００ＭＨｚ／９００ＭＨｚバンド等のセルラバンド，１８００ＭＨｚ／１９００ＭＨｚバンド等のＰＣＳバンド，および広帯域公共安全のための４．９ＧＨｚバンドを含む。ＵＦＢは，９００ＭＨｚバンド，２．４ＧＨｚバンド，５．０ＧＨｚバンド，および５．８ＧＨｚバンドを含む。ＳＢの例は，３．６５ＧＨｚバンドを含む。ＯＢは３．１ＧＨｚ〜１０．６ＧＨｚ等のＵＷＢバンドを含む。）
（４）「　Once the optimal transmission scenario is identified, the transmission can commence over multiple frequency bands simultaneously in a similar manner to the traditional single frequency band communication methods. The receiver is arranged to continuously monitor transmission performance metrics for the wireless link according to criteria such as bit error rate (BER), frame-error rate (FER), block-error-rate (BLER), or mean-square-error (MSE). The performance metrics are fed back to the transmitter to support link adaptation. Whenever the link adaptation is no longer sufficiently effective with the existing transmission scenario, the optimization function depicted in FIG. 8 is repeated.」
（第１１頁第２９行−第１２頁第４行） 
（［当審仮訳］：
　最適な伝送シナリオが同定されると，従来の単一周波数バンドでの通信方法と同様の手法によって，複数の周波数バンドの上で同時に送信を開始することができる。受信機はビット誤り率（ＢＥＲ），フレーム誤り率（ＦＥＲ），ブロック誤り率（ＢＬＥＲ），または平均２乗誤差（ＭＳＥ）等の基準に従って，無線リンクに対する伝送動作特性メトリックを連続して監視するように構成される。動作特性メトリックは，リンク適応をサポートするために送信機にフィードバックされる。現在の伝送シナリオではリンク適応が十分に効果を発揮しなくなると，その場合はいつでも，図８に示した最適化動作が繰り返される。）
（５）「　FIGS. 9 and 10 illustrate an architecture (900) for a frequency band multiplexing transmission method. This method is aimed at achieving a maximum data throughput with a certain coverage distance and link reliability. According to this method, the transmitter (910) requests a list of qualified frequency bands from the receiver (930). The transmitter screens all bands in the list against a set of transmission parameters such as transmit power limits and the minimum transmission performance requirements (e.g., BER, SER, BLER, FER, MSE, etc.). The transmitter identifies a number (e.g.,“N”) of qualified frequency bands, wherein each number supports at least a minimum data rate.
　In the transmitter (910), the data stream is split (914) into substreams so that the baseband processor (912) can process each frequency band (913), or sublink, separately and in parallel with one another. The multiband RF transceiver(s) (911) receive the processed sublinks and transmit them via one or more antenna (920).
　In the receiver (930), the multiband RF transceiver(s) (931) receives the frequency band multiplexed signal via one or more antenna (940). Each received frequency band is handled by a respective baseband processing block (933) within the baseband processor (932), which provides substreams for each frequency band. The data stream splitter (934) in the receiver (930) combines the substreams into a single data stream.
　As illustrated in FIG. 10, each individual sublink is processed in the transmitter baseband processor (1010) with an FEC encoder block (1011), an interleaving block (1012), a symbol mapping or modulation block (1013) and a channel or antenna mapping block (1014). The input bit stream is processed by the transmit baseband processor (1010) and then provided to the antenna ( 1030) from the RF transceiver block (1020). Similarly, each individual sublink is processed in the receiver baseband processor (1050) with a received signal processing block (1054), a symbol demapping or demodulation block (1053), a deinterleaving block (1052) and an FEC decoder block (1051). The signals received from the antenna (1070) via RF transceiver (1060) are processed by the receiver baseband processor (1050) to provide an output bit stream. Various statistics and error rates are collected at the receiver baseband processor (1050) and provided to a link adaptation function (1040), which communicates with the transmit baseband processor (1010).」
（第１２頁第１４行−第１３頁第１３行） 
（［当審仮訳］：
　図９および図１０は，周波数バンド多重化伝送法に対する構成（９００）示す。この方法は，あるカバレッジ距離およびリンク信頼度で最大のデータスループットを達成することをねらっている。この方法に従えば，送信機（９１０）は，受信機（９３０）に適格な周波数バンドのリストを要求する。送信機は，リスト中の全ての周波数バンドを，送信電力の限界値および最小伝送動作特性の要求条件（例えば，ＢＥＲ，ＳＥＲ，ＢＬＥＲ，ＦＥＲ，ＭＳＥ等）などの，伝送パラメータ一式に照らしてスクリーニングを行う。送信機は，適格な周波数バンドの数（例えば，Ｎ個）を識別する。それぞれの数は，少なくとも最小のデータレートをサポートする。
　送信機（９１０）において，ベースバンドプロセッサ（９１２）がそれぞれの周波数バンド（９１３）を処理できるように，または互いに別々に並列にサブリンクを処理できるように，データストリームは複数個のサブストリームに分割される（９１４）。マルチバンドＲＦトランシーバ（９１１）は，処理されたサブリンクを受信し，それを１つ以上のアンテナ（９２０）を介して送信する。
　受信機（９３０）において，マルチバンドＲＦトランシーバ（９３１）は，１つ以上のアンテナ（９４０）を介して周波数バンド多重化信号を受信する。受信したそれぞれの周波数バンドは，ベースバンドプロセッサ（９３２）内でそれぞれのベースバンドプロセッサブロック（９３３）によって取り扱われ，それぞれの周波数バンドに対するサブストリームとしてベースバンドプロセッサブロック（９３３）から出力される。受信機（９３０）の中のデータストリームスプリッタ（９３４）は，サブストリームを単一のデータストリームに合成する。
　図１０に示すように，それぞれ個々のサブリンクは，送信機ベースバンドプロセッサ（１０１０）の中で，ＦＥＣ符号器ブロック（１０１１），インターリーブブロック（１０１２），シンボルマッピングまたは変調機ブロック（１０１３），および，チャネルまたはアンテナマッピングブロック（１０１４）を用いて処理される。入力のビットストリームは，送信ベースバンドプロセッサ（１０１０）によって処理されて，ＲＦトランシーバブロック（１０２０）からアンテナ（１０３０）に供給される。同様に，それぞれ個々のサブリンクは，受信機ベースバンドプロセッサ（１０５０）の中で，受信信号処理ブロック（１０５４），シンボル逆マッピングまたは復調ブロック（１０５３），逆インターリーブブロック（１０５２），およびＦＥＣ復号器ブロック（１０５１）を用いて処理される。ＲＦトランシーバ（１０６０）を介してアンテナ（１０７０）から受信した信号は，受信機ベースバンドプロセッサ（１０５０）によって処理され，出力ビットストリームが出力される。種々の統計および誤り率が受信機ベースバンドプロセッサ（１０５０）に収集され，送信ベースバンドプロセッサ（１０１０）と通信するリンク適応機能（１０４０）に供給される。）
　上記引用例の記載及び図面（特に図９，図１０）並びにこの分野における技術常識を考慮すると，
ア　上記（１）の記載によれば，引用例には，「マルチバンド無線通信のためのシステム」について記載されていると認められる。
イ　上記（５）の第２段落及び図９によれば，送信機ではデータストリームがData stream splitter（９１４）（［当審仮訳］：データストリームスプリッタ（９１４））によりＮ個のサブストリームに分割され，分割された各データストリームはそれぞれベースバンドプロセッサ（９１２）のTx BB processing(Band 1)（９１３）（［当審仮訳］：送信機ベースバンド処理（バンド１）（９１３））ないしTx BB processing(Band N)（９１３）（［当審仮訳］：送信機ベースバンド処理（バンドＮ）（９１３））に入力され，それぞれの送信機ベースバンド処理（９１３）ではサブリンク（サブストリーム）が並列に処理されていると認められる。ここで，マルチバンド無線通信のためのシステムであることに鑑みれば，各送信機ベースバンド処理（９１３）は，マルチバンド無線通信のためのシステムにおける複数の周波数バンドのうちのそれぞれ異なる単一の周波数バンドにより各サブストリームを処理して送信するものであることは明らかである。
　そして，上記（５）の第４段落の記載及び図１０によれば，それぞれの個々のサブストリームは，送信機ベースバンドプロセッサ（１０１０）の中で，ＦＥＣ符号器ブロック（１０１１），インターリーブブロック（１０１２），シンボルマッピングまたは変調機ブロック（１０１３），および，チャネルまたはアンテナマッピングブロック（１０１４）を用いて処理されて，ＲＦトランシーバブロック（１０２０）からアンテナ（１０３０）に供給されるのであるから，図９の「送信機ベースバンド処理（バンド１）（９１３）」ないし「送信機ベースバンド処理（バンドＮ）（９１３）」はいずれも，ＦＥＣ符号器ブロック（１０１１），インターリーブブロック（１０１２），シンボルマッピングまたは変調機ブロック（１０１３），及びチャネルまたはアンテナマッピングブロック（１０１４）を用いて処理するものであることは明らかである。
　このため，各送信機ベースバンド処理（９１３）により処理されたサブストリームは，ＦＥＣ符号化，シンボルマッピングが為されて生成されているといえる。
　したがって，引用例には，「複数の送信機ベースバンド処理を有する送信機であって，各送信機ベースバンド処理が複数の周波数バンドのうちのそれぞれ異なる単一の周波数バンドによりサブストリームを処理して送信し，各送信機ベースバンド処理は，ＦＥＣ符号器ブロック，シンボルマッピングブロックを有し，各送信機ベースバンド処理で処理されたサブストリームは，ＦＥＣ符号化，シンボルマッピングが為されて生成される，送信機」が記載されていると認められる。
ウ　図９より，受信機は，送信機と無線で通信することは明らかであり，上記（５）の第３段落及び図９によれば，受信機では，受信したそれぞれのサブストリームは，ベースバンドプロセッサ（９３２）においてRx BB processing(Band 1)（９３３）（［当審仮訳］：受信機ベースバンド処理（バンド１）（９３３））ないしRx BB processing(Band N)（９３３）（［当審仮訳］：受信機ベースバンド処理（バンドＮ）（９３３））にて並列に処理されていると認められる。ここで，受信機ベースバンド処理（バンド１）（９３３）ないし受信機ベースバンド処理（バンドＮ）（９３３）は，送信機ベースバンド処理（バンド１）（９１３）ないし送信機ベースバンド処理（バンドＮ）（９１３）に対応するものと解され，複数の周波数バンドのうちのそれぞれ異なる単一の周波数バンドのサブストリームを受信するものと認められる。
　そして，上記（５）の第４段落及び図１０によれば，それぞれのサブストリームは，受信機ベースバンドプロセッサ（１０５０）の中で，受信信号処理ブロック（１０５４），シンボル逆マッピングまたは復調ブロック（１０５３），逆インターリーブブロック（１０５２），及びＦＥＣ復号器ブロック（１０５１）を用いて処理されるのであるから，図９の「受信機ベースバンド処理（バンド１）（９３３）」ないし「受信機ベースバンド処理（バンドＮ）（９３３）」はいずれも，受信信号処理ブロック（１０５４），シンボル逆マッピングまたは復調ブロック（１０５３），逆インターリーブブロック（１０５２），及びＦＥＣ復号器ブロック（１０５１）を用いて処理するものであることは明らかである。
　このため，各受信機ベースバンド処理（９３３）により処理されたサブストリームは，シンボル逆マッピング，ＦＥＣ復号化が為されて復号されているといえる。
　したがって，引用例には，「前記送信機と無線で通信し，複数の受信機ベースバンド処理を有する受信機であって，各受信機ベースバンド処理が複数の周波数バンドのうちのそれぞれ異なる単一の周波数バンドのサブストリームを受信し，各受信機ベースバンド処理は，ＦＥＣ復号器ブロック，シンボル逆マッピングブロックを有し，各受信機ベースバンド処理で受信される各周波数バンドのサブストリームは，シンボル逆マッピング，ＦＥＣ復号化が為されて復号される，受信機」が記載されていると認められる。
エ　上記（５）の第４段落の「リンク適応機能」が，受信機及びその対応する送信機の間の無線リンクの伝送動作特性に応じた制御を行うことは技術常識であり，同段落において受信機が前記リンク適応機能に供給する「種々の統計および誤り率」は，上記（４）の記載によれば，「無線リンクの伝送動作特性メトリック」を反映したものであることは明らかである。
　したがって，引用例には，「前記受信機は，受信機及びその対応する送信機の間の無線リンクの伝送動作特性メトリックを収集して，送信機と通信するリンク適応機能に供給する」ことが記載されていると認められる。
　したがって，引用例には以下の発明（以下，「引用発明」という。）が記載されているものと認める。  
「　マルチバンド無線通信のためのシステムであって，
　複数の送信機ベースバンド処理を有する送信機であって，各送信機ベースバンド処理が複数の周波数バンドのうちのそれぞれ異なる単一の周波数バンドによりサブストリームを処理して送信し，各送信機ベースバンド処理は，ＦＥＣ符号器ブロック，シンボルマッピングブロックを有し，各送信機ベースバンド処理で処理されたサブストリームは，ＦＥＣ符号化，シンボルマッピングが為されて生成される，送信機と，
　前記送信機と無線で通信し，複数の受信機ベースバンド処理を有する受信機であって，各受信機ベースバンド処理が複数の周波数バンドのうちのそれぞれ異なる単一の周波数バンドのサブストリームを受信し，各受信機ベースバンド処理は，ＦＥＣ復号器ブロック，シンボル逆マッピングブロックを有し，各受信機ベースバンド処理で受信される各周波数バンドのサブストリームは，シンボル逆マッピング，ＦＥＣ復号化が為されて復号される，受信機と，
を有し，前記受信機は，受信機及びその対応する送信機の間の無線リンクの伝送動作特性メトリックを収集して，送信機と通信するリンク適応機能に供給する，システム。」
［周知事項］
　引用例には，図面とともに以下の事項が記載されている。
（６）「　At the receiver a multiband RF transceiver (1160) receives signal via antenna 1170 and provides them to the receiver baseband processor (1150), which generates the output bit stream. The receiver baseband processor (1150) uses a diversity combining block (1154) that uses a combining algorithm such as a maximum ratio combining (MRC) or a minimum mean square error (MMSE) algorithm to generate symbols. The symbols are provided to a demapping or demodulating block (1153). The demapped symbols are deinterleaved by the deinterleaving block (1152) and decoded by the FEC decoder (1151) to provide the output bit stream. Receiver link performance parameters can again be fed back to the transmitter for adaptive coding and modulation based on the propagation conditions.」
（第１４頁第１−１１行） 
（［当審仮訳］：
　受信機において，マルチバンドＲＦトランシーバ（１１６０）は，アンテナ１１７０を介して信号を受信し，それを受信機ベースバンドプロセッサ（１１５０）に供給する。受信機ベースバンドプロセッサ（１１５０）は，出力ビットストリームを生成する。受信機ベースバンドプロセッサ（１１５０）は，最大比合成（ＭＲＣ）アルゴリズムまたは最小平均２乗誤差（ＭＭＳＥ）アルゴリズム等の合成アルゴリズムを用いるダイバーシティ合成ブロック（１１５４）を用いてシンボルを生成する。シンボルは逆マッピングまたは復調ブロック（１１５３）に供給される。逆マッピングされたシンボルは逆インターリーブブロック（１１５２）によって逆インターリーブされ，ＦＥＣ復号器（１１５１）により復号されて出力ビットストリームが出力される。伝搬条件に基づいて適応的に符号化および変調を行うために，受信機リンク動作特性パラメータは，以前の場合と同様に，送信機にフィードバックされることができる。）
（７）「　The receiver baseband processor (1432) is again arranged to monitor and measure the sublink/stream performances and report the performance metrics back to the transmitter baseband processor (1412). Each individual symbol stream in the transmitter (1410) has its own coding/modulation block (1413) that adaptively optimizes the coding/modulation scheme based on received sublink/stream transmission performance.」
（第１６頁第１６−２１行） 
（［当審仮訳］：
　受信ベースバンドプロセッサ（１４３２）は，以前と同様に，サブリンク／ストリームの動作特性を監視し測定して，送信機ベースバンドプロセッサ（１４１２）に動作特性メトリックを返送するように構成される。送信機（１４１０）の中のそれぞれ個々のシンボルストリームは，それぞれ自分の符号化／変調ブロック（１４１３）を持ち，それにより，受信したサブリンク／ストリームの伝送動作特性に基づいて，符号化／変調スキームの適応的な最適化が行われる。）
　当該技術分野における技術常識として，リンク適応の動作として，符号化方式及び変調方式の適応的な最適化を行うこと，及びそのために，受信機が無線リンクを監視して受信機リンク動作特性パラメータを決定し，送信機にフィードバックすることは，普通に行われている周知事項であると認められ，この点は，上記（６）及び（７）の記載にも裏付けられている。 
３　対比
　本願発明と引用発明とを対比すると，
（１）引用発明の「マルチバンド無線通信のためのシステム」は，「マルチバンド通信システム」といえる。
（２）「マルチバンド」を構成する個々のバンドを「サブバンド」と称することは一般的なことであるから，「マルチバンド」を構成する個々のバンドである引用発明の「周波数バンド」を「サブバンド」と称することは任意である。
　そして，本願発明の「データストリーム」は，サブバンドごとに生成されて送信機から受信機に伝送されるものであるところ，引用発明の「サブストリーム」も，周波数バンドごとに生成されて送信機から受信機に伝送されるものであるから，本願発明の「データストリーム」に対応する。
（３）本願発明の送信機は，複数の「送信チャネル」を有しており，受信機は，複数の「受信チャネル」を有している。そして，本願明細書の段落0017-0018，図３によれば，本願発明の「送信チャネル」には，チャネル符号器及びシンボルマッピングユニットの各処理によってデータストリームを生成して送信するものが含まれ，「受信チャネル」には，データストリームを受信し，チャネル復号器及びシンボルデマッピングユニットによって復号するものが含まれると認められる。
　一方，引用発明の送信機の各送信機ベースバンド処理は，ＦＥＣ符号器ブロック，シンボルマッピングブロックの処理によってサブストリームを生成して送信し，受信機の各受信機ベースバンド処理は，ＦＥＣ復号器ブロック，シンボル逆マッピングブロックの処理によってサブストリームを復号するものである。
　よって，引用発明の「送信機ベースバンド処理」は，本願発明の「送信チャネル」に対応し，引用発明の「受信機ベースバンド処理」は，本願発明の「受信チャネル」に対応する。
　なお，本願発明の「送信チャネル」及び「受信チャネル」は装置手段を含みうるものの，請求項１にはそのような特定はなされておらず，処理機能を含んでいると解することも可能であるから，引用発明の「送信機ベースバンド処理」及び「受信機ベースバンド処理」との間に差異はない。
（４）本願明細書の段落0019，段落0023によれば，本願発明の「チャネルコード」はチャネル符号器及びチャネル復号器におけるデータストリームの処理すなわち符号化及び復号化に使用され，「シンボルコンステレーション」はシンボルマッピングユニット及びシンボルデマッピングユニットにおけるデータストリームの処理すなわちシンボルマッピング及びシンボルデマッピングに使用されるものであって，いずれも，変調コーディング組（ＭＣＳ）から選択されるものである。
　一方，引用発明において，サブストリームのＦＥＣ符号化及びＦＥＣ復号化，並びにシンボルマッピング及びシンボル逆マッピング（シンボルデマッピング）の各処理を行う際に，何らかの「符号化方式」及び「変調方式」を使用することは，この分野における技術常識である。
　また，変調コーディング組（ＭＣＳ）から選択されるものが「符号化方式」及び「変調方式」であることも，この分野における技術常識である。
　したがって，引用発明の「符号化方式」は，符号化及び復号化に用いられるものであるから，本願発明の「チャネルコード」に対応し，引用発明の「変調方式」は，シンボルマッピング及びシンボルデマッピングに用いられるものであるから，本願発明の「シンボルコンステレーション」に対応する。そして，「符号化方式」を「チャネルコード」と称し，「変調方式」を「シンボルコンステレーション」と称することは，いずれも任意である。
（５）本願発明の「リンクの条件」は，国際出願日における国際特許出願の請求の範囲の請求項６の「a condition of a link」なる記載からみて，「リンクの状態」を含むと解するのが相当である。
　そして，引用発明の「無線リンクの伝送動作特性メトリック」は「リンクの状態」に含まれるから，本願発明の「リンクの条件」に対応する。
　したがって，本願発明と引用発明とは，両者は，以下の点で一致し，また，相違している。
（一致点）
　「　マルチバンド通信システムであって，
　複数の送信チャネルを有する送信機であって，各送信チャネルが複数のサブバンドのうちそれぞれ異なる単一のサブバンドによりデータストリームを送信し，各送信機ベースバンド処理で処理されるデータストリームは，何らかのチャネルコード及びシンボルコンステレーションを使用して生成される，送信機と，
　前記送信機とワイヤレスに通信し，複数の受信チャネルを有する受信機であって，各受信チャネルが複数のサブバンドのうち単一のサブバンドのデータストリームを受信し，各受信チャネルで受信される各サブバンドのデータストリームは，何らかのチャネルコード及びシンボルコンステレーションを使用して復号される，受信機と，
を有し，前記受信機は，当該受信機及びその対応する送信機の間のリンクの条件を収集して供給する，システム」
（相違点１）
　一致点の「各送信機ベースバンド処理で処理されるデータストリームは，何らかのチャネルコード及びシンボルコンステレーションを使用して生成される」及び「各受信チャネルで受信される各サブバンドのデータストリームは，何らかのチャネルコード及びシンボルコンステレーションを使用して復号される」に関し，本願発明は「各送信チャネルに，それぞれ異なるチャネルコード及びシンボルコンステレーションがセットされ，各送信チャネルのデータストリームは，当該セットされているチャネルコード及びシンボルコンステレーションを使用して生成される」及び「各受信チャネルで受信される各サブバンドのデータストリームは，それぞれ異なるチャネルコード及びシンボルコンステレーションを使用して復号される」であるのに対し，引用発明は各送信機ベースバンド処理及び各受信機ベースバンド処理において，それぞれ異なるチャネルコード及びシンボルコンステレーションが使用されることが明らかにされていない点。
（相違点２）
　一致点の「前記受信機は，当該受信機及びその対応する送信機の間のリンクの条件を収集して供給する」に関して，本願発明は，「前記受信機の個々の受信チャネルは，それぞれ，当該受信チャネル及びその対応する送信チャネルの間のリンクの条件に従って適切なチャネルコード及びシンボルコンステレーションを決定し，その対応する送信チャネルにフィードバックする適応変調コーディングコントローラを有する」のに対し，引用発明は「リンク適応機能」の具体的態様が明らかでなく，当該構成が明らかでない点。
４　検討
　上記各相違点１，２について纏めて検討する。
　上記２［引用発明］イ，ウのとおり，図９の「送信機ベースバンド処理（バンド１）」ないし「送信機ベースバンド処理（バンドＮ）」は，それぞれＦＥＣ符号器ブロック，シンボルマッピングを用いて処理し，「受信機ベースバンド処理（バンド１）」ないし「受信機ベースバンド処理（バンドＮ）」は，それぞれＦＥＣ復号号器ブロック，シンボル逆マッピングを用いて処理するものであり，引用例の記載（上記２（２）及び（３）参照。）によれば，引用発明は，３．１ＧＨｚ〜１０．６ＧＨｚ等のＵＷＢバンドで動作するＵＷＢデバイスに適用され得るものであるところ，ＵＷＢバンドを構成するサブバンドごとに無線リンクの伝送特性が異なることは当業者における技術常識であることにも鑑みれば，引用発明の「リンク適応機能」は，周波数バンド（サブバンド）毎に行っていると解するのが自然である。したがって，個々の受信チャネル及びその対応する送信チャネルの間のリンクの条件に従って行うことは格別困難なことではない。
　ここで，リンク適応の動作として，適切なチャネルコード及びシンボルコンステレーションを適応的に決定して用いること，及びそのために，受信機が無線リンクを監視して受信機リンク動作特性パラメータを決定することは，上記２［周知事項］の項で述べたとおり普通に行われていることであるから，引用発明の「リンク適応機能」の内容は，適切なチャネルコード及びシンボルコンステレーションを適応的に決定することであると解するのが自然であるし，そのようにすることは格別困難なことではない。そして，当該「リンク適応機能」を為すための手段を「適応変調コーディングコントローラ」と称することは任意である。
　また，本願明細書の段落0019の「チャネルコード及びシンボルコンステレーションは，それぞれ異なるサブバンドごとに異なりうる。」なる記載によれば，本願発明の「それぞれ異なるチャネルコード及びシンボルコンステレーション」の「異なる」は，「異なりうる」の意味を含むことは明らかである。そして，上述したとおり，ＵＷＢバンドを構成するサブバンドごとに無線リンクの伝送特性が異なることは当業者における技術常識であることにも鑑みれば，各送信機ベースバンド処理及び各受信機ベースバンド処理において，「それぞれ異なるチャネルコード及びシンボルコンステレーション」が使用されることは，普通に採用されることにすぎない。
　更に，引用発明の「リンク適応機能」を為すための手段をどこに設けるかは，設計に際して適宜選択し得る事項にすぎず，「受信機の個々の受信チャネル」に設けるようにすることは，当業者が容易になし得ることにすぎない。
　なお，本願発明の「送信チャネル」及び「受信チャネル」が，処理機能のみならず装置手段を意味するものであるとしても，引用発明の「複数の受信機ベースバンド処理」及び「複数の受信機ベースバンド処理」をそれぞれ独立した装置手段とすることは格別困難なことではない。
　そして，本願発明の作用効果も，引用発明及び周知事項に基づいて当業者が予測し得る範囲のものであり，格別なものではない。 
５　むすび
　以上のとおり，本願発明は，引用発明及び周知事項に基づいて当業者が容易に発明をすることができたものであるから，特許法第２９条第２項の規定により，特許を受けることができない。 
　よって，結論のとおり審決する。